(57)【特許請求の範囲】
【請求項１】
複数枚の押出材（１）を、それらの長辺側小口面に形成された凹溝（２）と凸条（３）を嵌め連ねて平面的に敷設する乾式構法において、相連結された押出材（１）の長辺側小口面の間に等断面形状を呈した状態で装着されるゴム質の面状ガスケットであって、前記凸条（３）の表面に定着される基部（４）と、相連結された押出材（１）の目地部（５）に圧縮状態で充填される蓋部（６）と、相連結された押出材（１）の凹溝（２）の滑り面（７）に当接し当該凹溝（２）と凸条（３）の滑り面（７）側の空隙（８）を封鎖する滑りフィン（９）を備えるガスケット。
【請求項２】
前記滑りフィン（９）を滑り方向に重設した前記請求項１に記載のガスケット。
【請求項３】
相連結された押出材（１）の凹溝（２）の迎え面（１０）に当接し、当該凹溝（２）と凸条（３）の進退面（１１）側の空隙を封鎖する当接フィン（１７）を備える前記請求項１又は請求項２のいずれかに記載のガスケット。
【請求項４】
装着される押出材（１）の表裏方向について対称的な断面形状を持つ前記請求項１乃至請求項３のいずれかに記載のガスケット。
【発明の詳細な説明】
【０００１】
【発明の属する技術分野】
本発明は、押出工法によって製造されたいわゆる押出材を敷設することによる乾式構法に関するものであって、特に敷設される押出材の間に装着されるガスケットに関するものである。
【０００２】
【従来の技術】
今日では、建造コストの削減と施工効率の向上を目的とした乾式構法が広く採用され、従来、例えば複数枚のコンクリートパネルを、それらの短辺側両端部を建物の梁に載置・固定することにより面状に敷設すると共に、図５（イ）の如く各コンクリートパネルの隙間（目地部）へ先ず下支えのバッカーを挿入し、その上へ無形シーリング剤を充填するといった湿式シーリング法による施工が施されていた。ところが、上記湿式シーリング法では施工時の工数が嵩むという問題があることから、既に敷設されたコンクリートパネルに対し、それに隣接する他の１枚のコンクリートパネルをそれらの各々長辺側小口面間の隙間を残して前記梁上に敷設するとき、図５（ロ）の如く前記長辺側小口面のいずれかにゴム組成物（シリコーンゴム等）製の面状ガスケットを接着剤を以て付着させた後、前記１枚のコンクリートパネル側に対して前記他の１枚のコンクリートパネルを強制的に寄せつけて前記面状ガスケットを前記両方のコンクリートパネルにより圧縮するという乾式シーリング法が採用されることとなった。
【０００３】
【発明が解決しようとする課題】
上記手段は、従来、隣接する押出材の両小口面の間をブチルゴムのような粘弾性物質で接合するという不陸防止手法が持つ施工効率の悪さを打開する事を目的として成されたものであるが、前記ガスケットのように単なる面状のものでは、毛細管現象によって押出材表裏に亘る水分の侵入は遮断できず、ガスケットの性状劣化によって加速度的に止水効果が減退するという問題があった。
【０００４】
本発明は、上記実情に鑑みて成されたものであって、従来のゴム質という性状のみに依存した構造から脱却し、性状の劣化にあってもなお十分な止水効果を奏するガスケットの提供を目的とする。
【０００５】
【課題を解決するための手段】
上記課題を解決するために成された本発明によるガスケットは、複数枚の押出材を、それらの長辺側小口面に形成された凹溝と凸条を嵌め連ねて平面的に敷設する乾式構法において、相連結された押出材の長辺側小口面の間に等断面形状を呈した状態で装着されるゴム質の面状ガスケットであって、前記凸条の表面に定着される基部と、相連結された押出材の目地部に圧縮状態で充填される蓋部と、相連結された押出材の凹溝の滑り面に当接し、当該凹溝と凸条の滑り面側の空隙を封鎖する滑りフィンを備えることを特徴とする。必要に応じて、前記滑りフィンを滑り方向に重設する場合や、相連結された押出材の凹溝の迎え面に当接し当該凹溝と凸条の進退面側の空隙を封鎖する当接フィンを備えた構造を採る場合もあり、又、装着される押出材の表裏方向について対称的な断面形状を持たせる場合もある。尚、押出材は、室内外の床面を構成する押出床材の場合もあるし、壁面を構成する押出壁材の場合もある。
【０００６】
【発明の実施の形態】
以下、本発明によるガスケットの実施の形態を図面に基づき説明する。
本発明によるガスケットは、相反する長辺側小口面の一方に長手方向全域に亘る凹溝２を備えると共に、他方に前記凹溝２と長手方向全域に亘って遊嵌する凸条３を備えた長方形のコンクリート製押出材１を、例えば建物の梁上に、それらの長辺側小口面へ平面的に嵌め連ねて敷設する乾式構法において、相連結されたコンクリート製押出材１の長辺側小口面の間に等断面形状を呈した状態で長尺物として装着される面状ガスケットである。
【０００７】
当該ガスケットは、シリコーンゴム組成物をはじめとするエラストマー等のゴム質の素材から一体成形され、前記凸条３の表面に定着される基部４と、相連結された押出材１，１の目地部５に圧縮状態で充填される蓋部６と、相連結された押出材１，１の凹溝２の滑り面７に当接し、当該凹溝２と凸条３の滑り面７側の空隙８を封鎖する滑りフィン９を滑り方向に四段重設する（四段に限らず複数段適宜重設すればよい）と共に、相連結された押出材１，１の凹溝２の迎え面１０に当接し当該凹溝２と凸条３の進退面１１側の空隙１２を封鎖する当接フィン１７を設け、装着時の方向性を違えることにより機能を果たし得なくなることが無いように、装着すべき押出材１の表裏方向（以下、左右と記す）にそれぞれ同様の構造を採用した対称的な断面形状に設定されている。
【０００８】
前記基部４は、凸条３の進退面１１に定着される端面領域１３の左右両端に、同凸条３の両滑り面７，７に定着される側面領域１４，１４を薄肉部１５，１５を介して連設して成るものであって、当該基部４の左右両端に薄肉部１６，１６を介して蓋部６，６が延設されている。基部４には、一対の当接フィン１７，１７が端面領域１３の表面から対称的な左右に先広がりとなる様に凸設されると共に、各側面領域１４，１４の表面から四段の滑りフィン９，９，９，９が一定の間隔を隔てて隣接する蓋部６側へ均一に傾倒した状態で凸設されている。蓋部６は、基部４に比べて二倍程度厚く成形され、その端部がＶ字状の二股部１８として厚み方向へ膨出させられている。尚、当該蓋部６にあっては、設定された目地部５の広さに合わせて更に圧肉となる様にその表面側へ膨出させ（図４（イ）（ロ）参照）、必要に応じて当該膨出部２１に弾力調整用の中空部２２を設けることもできる。
【０００９】
上記の如く一体成形されたガスケットは、コンクリート製押出材１を敷設する際に、相連結されるコンクリート製押出材１，１の嵌め入れ側（凸側）の長辺側小口面に、当該小口面に形成された凸条３の進退面１１がガスケットの基部４における端面領域１３に定着するように位置決めして、基部４の両側面領域１４，１４の裏面と凸条３の両滑り面７，７との間をブチルゴムのような粘弾性物質のコーキングテープ１９で接合する。
【００１０】
この様にあるコンクリート製押出材１におけるガスケットが定着された凸側の長辺側小口面の凸条３を、連結すべきコンクリート製押出材１の受け側（凹側）の長辺側小口面に形成された凹溝２へ嵌め入れることによって、図１（ロ）の如く前記ガスケットの蓋部６が相連結したコンクリート製押出材１によって厚み方向に圧縮される。
【００１１】
その際、前記二股部１８の存在によって大きな圧力を加えなくとも目地部５が蓋部６の先端において封鎖され、床下への水分の侵入を一次的に抑制する。また、相連結したコンクリート製押出材１，１による蓋部６の圧縮と同時に、前記凸条３の表面に定着されたガスケットの基部４が、前記凹溝２の内部へ押し入れられる結果、基部４の側面領域１４，１４に凸設された四段の滑りフィン９，９，９，９が各々凹溝２の滑り面２０に当接すると共に、各々が凹溝２の外側へ向かって更に傾倒した状態で当該凹溝２と凸条３各々の滑り面７，２０側の空隙８，８を封鎖し、床下への水分の侵入を二次的に抑制する。更に同時に、基部４の端面領域１３に凸設された一対の当接フィン１７，１７が各々凹溝２，２の迎え面１０に当接すると共に、各々がそれぞれの先端部が離隔する様に更に傾倒した状態となって当該凹溝２と凸条３の迎え面１０と進退面１１との間の空隙１２を封鎖し、床下への水分の侵入を三次的に抑制する(図３参照)。
【００１２】
この様な三段構えの止水作用に加え、各フィンの間には毛細管現象を阻止する為の空隙がいくつも形成されるために、当該止水作用はより効果的な実用性の高いものとなるばかりか、実用的な止水効果を得るにあたって大きな力による圧縮を要さず、各フィンの変形も最小限で足りるので、物理的外圧による劣化も最小限に止めることができ、長い耐用期間を実現することができる。
【００１３】
【発明の効果】
以上の如く本発明によるガスケットを使用すれば、毛細管現象によって押出材表裏に亘る水分の侵入が確実に遮断でき、ゴム質という性状の劣化にあってもなお十分な止水効果を得ることができる。
【図面の簡単な説明】
【図１】（イ）（ロ）
本発明によるガスケットの実施の形態の一例を示す断面図である。
【図２】（イ）（ロ）
本発明によるガスケットの実施の形態の一例を示す表裏平面図である。
【図３】
本発明によるガスケットの作用の一例を示す断面図である。
【図４】（イ）（ロ）
本発明によるガスケットの実施の形態の一例を示す断面図である。
【図５】（イ）（ロ）
従来ガスケットの実施の形態の一例を示す断面図である。
【符号の説明】
１  押出材，２  凹溝，３  凸条，５  目地部，
７，２０  滑り面，１０  迎え面，１１  進退面，８，１２  空隙，
４  基部，６  蓋部，９  滑りフィン，１７  当接フィン，１８  二股部，
１３  端面領域，１４  側面領域，１５，１６  薄肉部，
１９  コーキングテープ，２１  膨出部，２２  中空部，
【図１】
0003851559.tif 000002
【図２】
0003851559.tif 000003
【図３】
0003851559.tif 000004
【図４】
0003851559.tif 000005
【図５】
0003851559.tif 000006